(57)【要約】【課題】機械的衝撃に対して電気機器本体の保護を万全としたフレームガードを備える電気機器の提供。【解決手段】ラジオ本体２と、該ラジオ本体２の外側に配置されて該ラジオ本体２と接続され、該ラジオ本体２を保護するフレームガード３とを備え、該電気機器本体のいかなる面も該フレームガード３の内側に位置している。【選択図】図１
2015001992.tif 000002
【特許請求の範囲】
【請求項１】
上下方向、左右方向、前後方向に寸法を有する電気機器本体と、
該電気機器本体の外側に配置されて該電気機器本体と接続され、該電気機器本体を保護するフレームガードとを備え、
該電気機器本体のいかなる面も該フレームガードの内側に位置していることを特徴とする電気機器。
【請求項２】
上下方向、左右方向、前後方向に寸法を有する電気機器本体と、
該電気機器本体の外側に配置され、該電気機器本体と接続され、該電気機器本体を保護するフレームガードとを備え、
該フレームガードは、左右方向端部に向かうに従って、上下方向及び前後方向の寸法が徐々に小さくなるような円弧部を含むことを特徴とする電気機器。
【請求項３】
左右方向に延びる電気機器本体と、
該電気機器本体から外側に延びるように接続されるフレームガードとを備え、
該フレームガードは、該電気機器本体の上方で左右方向に延びる第１ガードと、該電気機器本体の下方前方で左右方向に延びる第２ガードと、該電気機器本体の下方後方で左右方向に延びる第３ガードとを有することを特徴とする電気機器。
【請求項４】
該フレームガードは、各ガードを接続する接続部を備え、
該接続部は、該第１ガードと該第２ガードと該第３ガードの左右方向一端部を互いに接続する第１コネクタと、該第１ガードと該第２ガードと該第３ガードの左右方向他端部を互いに接続する第２コネクタとを有し、該電気機器本体の左右方向軸延長線上から視認した場合に該第１ガードを頂点とし該第２ガードと第３ガードとを結ぶ線分を底辺とする三角形状をなすことを特徴とする請求項３に記載の電気機器。
【請求項５】
該三角形状は、正三角形状であることを特徴とする請求項４に記載の電気機器。
【請求項６】
該第１ガードは、運搬時に持ち手とするハンドル部を有することを特徴とする請求項３から５のいずれか一に記載の電気機器。
【請求項７】
該フレームガードは、該第１ガードと該第２ガードとを含む面と直交する方向、該第１ガードと該第３ガードとを含む面と直交する方向、及び該第２ガードと該第３ガードとを含む面と直交する方向のいずれの視認方向から見た場合であっても、左右方向端部に向かうに従って、視認方向と左右方向とのいずれにも直交する方向の寸法が徐々に小さくなるような円弧部を含むことを特徴とする請求項３から６のいずれか一に記載の電気機器。
【請求項８】
該電気機器本体は、左右方向に直交するいずれの断面においても、該フレームガードによって囲まれた該三角形状の領域内に配置されていることを特徴とする請求項３から７のいずれか一に記載の電気機器。
【請求項９】
該電気機器本体は、電気機器の機能を発揮させるための操作をする操作部と、該操作に供する情報を表示する表示部とを有し、
該電気機器本体は、該電気機器本体の左右方向軸延長線上から視認した場合に三角形状をなすとともに、該第１ガードと該第２ガードとを含む仮想面と対向する該電気機器本体上の一面には、該操作部及び該表示部の少なくとも一方が配置されていることを特徴とする請求項３から８のいずれか一に記載の電気機器。
【請求項１０】
該一面には、該操作部及び該表示部が配置されていることを特徴とする請求項９に記載の電気機器。
【請求項１１】
水平面に対向する底面と該底面に対して鋭角をなす傾斜面とを有する筐体を備えた電気機器本体であって、該傾斜面には、該電気機器本体の機能を発揮させるための操作をする操作部と、該操作に供する情報を表示する表示部とを配置したことを特徴とする電気機器。
【請求項１２】
該筐体は該底面と該傾斜面による前面と、背面とにより、断面三角形状をなすことを特徴とする請求項１１に記載の電気機器。
【発明の詳細な説明】
【技術分野】
【０００１】
本発明は、持ち運び可能な電気機器に関する。
【背景技術】
【０００２】
持ち運び可能な電気機器を建設現場等の作業場所に持ち込み、音楽やラジオを聴きながら作業することがある。電気機器が使用される作業現場は、資材の運搬や人の往来が激しいため、一般の電気機器は、ユーザの不注意や意図せぬ資材の落下、壁等との衝突等により破損しやすく、外部からの衝撃に対する電気機器の耐久性を高める必要性があった。
【０００３】
上記の問題を解決するために、略直方体の電気機器本体の各辺に対応する場所にそれぞれ棒状のガードを配置し各ガードを連結したフレームガードを、電気機器本体を保護するために電気機器本体の外側に設けた電気機器が知られている。（特許文献１）
【先行技術文献】
【特許文献】
【０００４】
【特許文献１】欧州登録意匠第００１２２７５４０号
【発明の概要】
【発明が解決しようとする課題】
【０００５】
しかしながら、上記従来型の電気機器は上面視において電気機器本体前面の操作部がガードよりも前方に突出しているため、長い木材等が倒れかかってきた場合にガードよりも前方に突出した操作部が長い木材等に衝突する虞があった。また、上記従来型の電気機器におけるフレームガードの各ガードの接続部は角張っているため、当該接続部に衝撃を受けた場合に衝撃を上手く分散することができなかった。また、上記のフレームガードは直方体の各辺に対応する位置にガードが配置されており、電気機器本体の左右方向軸延長線上から視認した場合にフレームガードも四角形状をなしている。そのため、ガードの本数及びそれぞれのガードを接続する接続部材等の部品点数が多くなり、コストアップに繋がるという問題があった。さらに、操作部及び表示部が地面に対して垂直な面に配置されているため、立ったまま操作しようとするユーザにとって操作性及び視認性が悪いという問題があった。
【０００６】
そこで本発明は、機械的衝撃に対しての電気機器本体の保護を万全とした電気機器を提供することを目的とする。また本発明は、フレームガードを構成する部品の点数を減らし、コストアップを抑えることができる電気機器を提供する。本発明は更に、電気機器本体の操作部や表示部に対する操作や目視が容易な電気機器を提供することを目的とする。
【課題を解決するための手段】
【０００７】
上記課題を解決するために本発明は、上下方向、左右方向、前後方向に寸法を有する電気機器本体と、該電気機器本体の外側に配置されて該電気機器本体と接続され、該電気機器本体を保護するフレームガードとを備え、該電気機器本体のいかなる面も該フレームガードの内側に位置していることを特徴とする電気機器を提供する。
【０００８】
このような構成によると、電気機器本体のいかなる面もフレームガードの内側に位置しているため、長い木材等が倒れ掛かってきた場合であっても、当該木材等がフレームガードに先に衝突し、電気機器本体の保護をより万全とすることができる。
【０００９】
本発明は更に、上下方向、左右方向、前後方向に寸法を有する電気機器本体と、該電気機器本体の外側に配置され、該電気機器本体と接続され、該電気機器本体を保護するフレームガードとを備え、該フレームガードは、左右方向端部に向かうに従って、上下方向及び前後方向の寸法が徐々に小さくなるような円弧部を含むことを特徴とする電気機器を提供する。
【００１０】
このような構成によれば、フレームガードは左右方向端部に向かうに従って、上下方向及び前後方向の寸法が徐々に小さくなる円弧部を有するので、当該円弧部が機械的な衝撃を受けた場合に、衝撃が分散され、効率よく電気機器本体に作用する衝撃を緩和することができる。
【００１１】
本発明は更に、左右方向に延びる電気機器本体と、該電気機器本体から外側に延びるように接続されるフレームガードとを備え、該フレームガードは、該電気機器本体の上方で左右方向に延びる第１ガードと、該電気機器本体の下方前方で左右方向に延びる第２ガードと、該電気機器本体の下方後方で左右方向に延びる第３ガードとを有することを特徴とする電気機器を提供する。
【００１２】
このような構成によると、電気機器本体の左右方向軸延長線上から視認した場合に四角形状を成す従来型のフレームガードに比べてガードの数を少なくすることができる。このため、フレームガードを製造するためのガードの数を少なくすることができ、フレームガードの製造コストを削減することができる。
【００１３】
該フレームガードは、各ガードを接続する接続部を備え、該接続部は、該第１ガードと該第２ガードと該第３ガードの左右方向一端部を互いに接続する第１コネクタと、該第１ガードと該第２ガードと該第３ガードの左右方向他端部を互いに接続する第２コネクタとを有し、該電気機器本体の左右方向軸延長線上から視認した場合に該第１ガードを頂点とし該第２ガードと第３ガードとを結ぶ線分を底辺とする三角形状をなすことを特徴とする電気機器を提供する。
【００１４】
このような構成によれば、電気機器本体の左右方向軸延長線上から視認した場合に四角形状を成す従来型のフレームガードに比べてガードの数及びコネクタの部品点数を少なくすることができる。このため、フレームガードを製造するためのガードの数及びコネクタの部品点数を少なくすることができ、フレームガードの製造コストを削減することができる。
【００１５】
上記構成の電気機器において、該三角形状は、正三角形状であることが好ましい。
【００１６】
このような構成によると、第１コネクタや第２コネクタをそれぞれ複数部品から構成した場合に、それら部品の形状を同一形状とすることができる。このため、フレームガードの製造に必要な部材の種類を少なくすることができ、製造工程を減らすことでコストを削減することができる。
【００１７】
また、該第１ガードは、運搬時に持ち手とするハンドル部を有することが好ましい。このような構成によると、第１ガード部を持ち手として利用することができる。このため、従来型のフレームガードのように新たに持ち手を設けることなく容易に運搬することができる。
【００１８】
また、該フレームガードは、該第１ガードと該第２ガードとを含む面と直交する方向、該第１ガードと該第３ガードとを含む面と直交する方向、及び該第２ガードと該第３ガードとを含む面と直交する方向のいずれの視認方向から見た場合であっても、左右方向端部に向かうに従って、視認方向と左右方向とのいずれにも直交する方向の寸法が徐々に小さくなるような円弧部を含む構成であることが好ましい。
【００１９】
このような構成によると、ガードフレームは、いずれの視認方向から見た場合であっても、左右方向端部に向かうに従って、視認方向と左右方向とのいずれにも直交する方向の寸法が徐々に小さくなるような円弧部を含むため、当該円弧部が機械的な衝撃を受けた場合に、衝撃が分散され、効率よく電気機器本体に作用する衝撃を緩和することができる。
【００２０】
また、該電気機器本体は、左右方向に直交するいずれの断面においても、該フレームガードによって囲まれた該三角形状の領域内に配置されていることが好ましい。このような構成によると、電気機器本体左右方向に直交するいずれの断面においてもフレームガードは電気機器本体より外側に位置することになる。このため、長い木材等が倒れ掛かってきた場合であっても、当該木材等がフレームガードに先に衝突し、電気機器本体の保護をより万全とすることができる。
【００２１】
また、該電気機器本体は、電気機器の機能を発揮させるための操作をする操作部と、該操作に供する情報を表示する表示部とを有し、該電気機器本体は、該電気機器本体の左右方向軸延長線上から視認した場合に三角形状をなすとともに、第１ガード部と第２ガード部とを含む仮想面と対向する該電気機器本体上の一面には、該操作部及び該表示部の少なくとも一方が配置されていることが好ましい。
【００２２】
このような構成によると、同じ高さの従来型の断面四角形状の電気機器本体と比べた場合、操作面又は表示面を配置している一面を大きくすることができる。このため、手袋等をしているユーザであっても操作が容易となり、操作性が向上する。また、当該一面が斜め上を向いた状態となるため、立って作業するユーザから当該面を容易に視認することができる。
【００２３】
上記構成において、該一面には、該操作部及び該表示部が配置されていることが好ましい。このような構成によると、一面上に操作部と表示部の両方があるため、操作部と表示部とが一つの面にまとまっていない場合に比べて、ユーザは電気機器を操作する場合、一つの面のみで表示を確認して操作することが可能となり、操作性が向上する。
【００２４】
本発明は更に、水平面に対向する底面と該底面に対して鋭角をなす傾斜面とを有する筐体を備えた電気機器本体であって、該傾斜面には、該電気機器本体の機能を発揮させるための操作をする操作部と、該操作に供する情報を表示する表示部とを配置したことを特徴とする電気機器を提供する。
【００２５】
このような構成によると、同じ高さの従来型の電気機器本体の操作部又は表示部を配置している面と比べた場合、操作面又は表示面を配置する面を大きくすることができる。このため、手袋等をしているユーザであっても操作が容易となり、操作性が向上する。また、当該面が斜め上を向いた状態となるため、立って作業するユーザから当該面を容易に視認することができる。
【００２６】
上記構成において、該筐体は該底面と該傾斜面による前面と、背面とにより、断面三角形状をなすことが好ましい。このような構成によると、筐体は底面と傾斜面による前面と、背面とにより、断面三角形状をなしているので、同じ高さの従来型の四角形状の電気機器本体と比べた場合に傾斜面の面積をより大きくすることができる。
【発明の効果】
【００２７】
本発明の電気機器によれば、機械的衝撃に対して電気機器本体を保護できる電気機器を提供することができる。まｔ、フレームガードを構成する部品の点数を減らした電気機器を提供することができる。更に、電気機器本体の操作部や表示部に対する操作や目視が容易な電気機器を提供することができる。
【図面の簡単な説明】
【００２８】
【図１】本発明の実施の形態による電気機器を示す斜視図である。
【図２】本発明の実施の形態による電気機器を示し、（ａ）は正面図、（ｂ）は側面図である。
【図３】本発明の実施の形態による電気機器の平面図である。
【図４】電気機器本体とフレームガードとの関係を示す概念図であり、（ａ）は本実施の形態による電気機器本体の断面図、（ｂ）は従来の電気機器本体の断面図、（ｃ）は本実施の形態による断面三角形の電気機器本体を有する電気機器の断面図、（ｄ）は断面四角形の電気機器本体を有する電気機器の断面図。
【図５】本発明の実施の形態による電気機器の保護蓋を開けた状態を示す斜視図である。
【図６】本発明の実施の形態による電気機器を示し、（ａ）は正面図、（ｂ）はＶＩ―ＶＩ線に沿った断面図である。
【図７】本発明の実施の形態による電気機器の部分拡大図であり、特にコネクタユニットを示す。
【図８】本発明の実施の形態による電気機器のコネクタユニットの正面図であり、（ａ）は第１の携帯用音響再生機器用コネクタユニットを示し、（ｂ）は第２の携帯用音響再生機器用コネクタユニットを示し、（ｃ）は第３の携帯用音響再生機器用コネクタユニットを示す。
【図９】図８の電気機器のコネクタユニットであり、（ａ）は側面図、（ｂ）は図８（ａ）のＩＸ−ＩＸ線に沿った断面図である。
【発明を実施するための最良の形態】
【００２９】
本発明の実施の形態による電気機器について図１乃至図９に基づき説明する。ここで電気機器の一例としてはラジオ１であり、建設現場等の作業場所に持ち込んで使用される。
【００３０】
図１に示すようにラジオ１は、ラジオ本体２とフレームガード３とにより構成されている。ラジオ本体２は、作業場所に設置したときに左右方向に延びる長尺な筐体１０を有し、筐体１０の左右方向に直交する平面に沿った断面が略三角形状をなしている。
【００３１】
筐体１０の前面側には、操作部１１と、表示部１２と、保護蓋１３と、音を出力する一対のスピーカ部１４とが設けられる。一対のスピーカ部１４は筐体１０の左右端部側に位置し、操作部１１と表示部１２と保護蓋１３は、一対のスピーカ部１４の間に位置する。操作部１１は、ラジオの機能を発揮させるためのものであり、図示せぬダイヤルやプッシュスイッチが設けられている。表示部１２は、操作に供する情報を表示する例えば液晶パネルにより構成され、操作部１１の上側に位置している。保護蓋１３は、左側スピーカ部１４と操作部１１との間に位置し、透明部１３Ａを備える。また保護蓋１３は開閉可能に設けられている。保護蓋１３が閉じている状態では、操作部１１と、表示部１２と、保護蓋１３の該表面は略面一に形成されている。
【００３２】
図４（ａ）に示すように、筐体１０は断面視略三角形状をなしているため、その前面は水平面に対して傾斜している（底面に対して鋭角をなす）。操作部１１及び表示部１２が配置された前面が傾斜していることで、立って作業するユーザにとって操作部１１及び表示部１２を視認することが容易である。また、前面に操作部１１及び表示部１２が一つの面にまとまって配置されているので、ユーザはラジオ１を操作する場合に一つの面のみで表示を確認して操作することが可能となり、利便性が向上する。
【００３３】
ここで、筐体１０の高さ（ｈ）と同じ高さ（ｈ）である従来型の断面視四角形状の筐体１０１（図４（ｂ））と比較した場合に、筐体１０における前面の長さ（Ｌ１）は、筐体１０１における前面の上下方向の長さ（Ｌ２）よりも長くなるため、操作部１１及び表示部１２等を配置する前面を従来よりも大きくすることができる。前面を大きくしたことで操作部１１及び表示部１２等を大きくすることができ、手袋等をしているユーザであっても容易に操作できるようになり操作性が向上する。
【００３４】
筐体１０の上面側には、保護蓋１３を開閉するための開閉スイッチ１５が保護蓋１３の直上左側に設けられており、開閉スイッチ１５を押すことで保護蓋１３を開くことができ、保護蓋１３を閉めると図示せぬ爪に引っかかり保護蓋１３を閉めた状態が保持される。
【００３５】
筐体１０の左右方向両側面には一対のウーハー部１６が設けられている。ウーハー部１６を設けることで低音域を効果的に出力することができる。
【００３６】
筐体１０の図示せぬ底面側には、商用電源から電源を得るためのコンセントコードを収納する図示せぬ収納部が形成されている。また、筐体１０の内部には図示せぬ電源バッテリが収納されている。ラジオ本体２は電源バッテリとコンセントコードとを両方備えているため、ラジオ１を使用する作業場所が商用電源を利用できる場所であるか否かによって、電源バッテリとコンセントコードとのどちらを使用するかを適宜選択することができる。筐体１０の内部には更に、図示せぬ音声入出力機構が設けられており、ラジオ放送を一対のスピーカ部１４及びウーハー部１６から出力することができる。
【００３７】
図５及び図７に示すように、保護蓋１３よりも後方には、外部機器である携帯用音響再生機器２００を格納する格納部１３ａが設けられる。格納部１３ａは、操作部１１、表示部１２の表面よりも、筐体１０の内方に凹んだ略四角形状の空間を提供している。格納部１３ａには、一対の保持部１７と格納緩衝材１８とが設けられると共に、接続孔１３ｂが形成されている。
【００３８】
図７に示されるように、接続孔１３ｂは、格納部１３ａの下面の略中央に下方に凹み後述するコネクタユニット４のＵＳＢコネクタ４３を挿入接続可能となるように形成されている。コネクタユニット４は、接続孔１３ｂにＵＳＢコネクタ４３を挿入した状態で携帯用音響再生機器２００を載置し、かつ携帯用音響再生機器２００と音声入出力機構とを電気的に接続する。格納緩衝材１８は、格納部１３ａの上下方向略中央部に設けられ、格納された携帯用音響再生機器２００の背面と当接し、衝撃を吸収緩和する。一対の保持部１７は、格納緩衝材１８の下方近傍に左右方向にスライド可能に設けられ、左方向及び右方向から携帯用音響再生機器２００を挟持して保持する。このため、携帯用音響再生機器２００は筐体１０に固定され、携帯用音響再生機器２００を格納部１３ａに載置したまま持ち運ぶ場合に、携帯用音響再生機器２００が格納部１３ａから離脱したり落下することを抑制することができ、また、携帯用音響再生機器２００が格納部１３ａに対して振動してこれらの表面が傷つくことを抑制できる。
【００３９】
保護蓋１３が開いている状態では、携帯用音響再生機器２００は格納部１３ａに格納かつ載置でき、または、格納部１３ａから取り出すことができる。保護蓋１３が閉じている状態では、携帯用音響再生機器２００は外部からの埃や水等または衝撃等から保護される。また保護蓋１３が透明部１３Ａを備えることにより、保護蓋１３が閉じられた状態で、携帯用音響再生機器２００は外部から視認可能となるため、ユーザは、格納した携帯用音響再生機器２００の種類や携帯用音響再生機器２００の情報表示部等を確認することができ、また、携帯用音響再生機器２００が格納部１３ａに載置してあるか否かを確認することができる。
【００４０】
コネクタユニット４を介して携帯用音響再生機器２００と音声入出力機構とが電気的に接続されることにより、携帯用音響再生機器２００の音声データが音声入出力機構に入力され、当該音声データに基づいて音楽等が一対のスピーカ１４及びウーハー部１６から出力される。または、コネクタユニット４を介して携帯用音響再生機器２００と音声入出力機構とが電気的に接続されることにより、携帯用音響再生機器２００は充電可能となる。この場合、携帯用音響再生機器２００の音声データを無線ＬＡＮ等により音声入出力機構に送信することもできる。
【００４１】
図８（ａ）及び図９（ａ）、（ｂ）に示されるように、コネクタユニット４は、座部であるケース４１と、第１接続部である端子接続部４２と、第２接続部であるＵＳＢコネクタ４３と、ケーブル４４とを有する。図９（ａ）に示されるように、ケース４１はコネクタユニット４の本体部をなす部分であり、上下方向略中央で上部が後方に折れ曲がっている。また、ケース４１の左右方向の幅は携帯用音響再生機器２００の左右方向の幅と略同じ長さに設計されており、携帯用音響再生機器２００を安定して載置することができる。端子接続部４２は、ケース４１の上面の略中央から上面と直交する方向に延出しており、携帯用音響再生機器２００と電気的に接続可能である。ＵＳＢコネクタ４３は、ケース４１の下面（ケース４１に関して上面の反対側の面）の略中央から下面と直交する方向に延出しており、接続孔１３ｂに挿入接続することで音声入出力機構と電気的に接続可能である。ケーブル４４は、ケース４１の内部に配置され、端子接続部４２とＵＳＢコネクタ４３とを電気的に接続している。
【００４２】
ケース４１は、上下方向略中央で上部が後方に折れ曲がっているため、端子接続部４２の延出方向とＵＳＢコネクタ４３の延出方向とが交差している。このため、端子接続部４２と携帯用音響再生機器２００との接続を解除する方向が、ＵＳＢコネクタ４３と音声入出力機構との接続を解除する方向とは異なるため、端子接続部４２と携帯用音響再生機器２００との接続を解除する場合に、ＵＳＢコネクタ４３と音声入出力機構との接続が意図せず解除されることを抑制又は防止することができる。
【００４３】
詳細には、図９（ａ）に示されるように、コネクタユニット４と音声入出力機構との接続を解除するために必要なｂ方向の力をＦｂとし、携帯用音響再生機器２００とコネクタユニット４との接続を解除する際にコネクタユニット４にかかるａ方向の力をＦａとし、ＦａとＦｂは略等しい大きさであると仮定する。携帯用音響再生機器２００をＦａの力でコネクタユニット４から取り外す場合に、コネクタユニット４に作用するｂ方向の力はＦａのｂ方向成分すなわちＦａｃｏｓθとなり、携帯用音響再生機器２００と音声入出力機構との接続を解除するために必要なｂ方向の力Ｆｂよりも小さくなる。ａ方向とｂ方向に角度θを設けることで再生機器２００とコネクタユニット４との接続を解除する際に、コネクタユニット４と音声入出力機構との接続が解除されることを抑制することができる。
【００４４】
図８（ａ）は、ｉＰｈｏｎｅ（登録商標）５の外部接続端子と接続可能な端子接続部４２を備えるコネクタユニット４である。図８（ｂ）は、ｉＰｈｏｎｅ（登録商標）の外部接続端子と接続可能な端子接続部４２Ａを備えるコネクタユニット４Ａである。図８（ｃ）は、ＡＮＤＲＯＩＤ（登録商標）の外部接続端子と接続可能な端子接続部４２Ｂを備えるコネクタユニット４Ｂである。図８（ａ）、（ｂ）及び（ｃ）はそれぞれの端子接続部４２、４２Ａ、４２Ｂの形状は異なるが、それぞれのＵＳＢコネクタ４３の形状は同一である。
【００４５】
上記のように、外部接続端子の形状や規格等が異なる複数種類の携帯用音響再生機器２００の一に対応した端子接続部４２、４２Ａ、４２Ｂを備えるコネクタユニット４、４Ａ、４Ｂを用意することで、ユーザは携帯用音響再生機器２００の種類に応じて適宜コネクタユニットを選択し、格納部１３ａに格納して携帯用音響再生機器２００と音声入出力機構とを電気的に接続することができる。また、将来的に携帯用音響再生機器２００の外部接続端子の新たな規格等が現れた場合であっても、当該規格に合致した端子接続部４２を備えるコネクタユニットのみを製造することで新たな規格に対応することが可能である。
【００４６】
図１乃至図３に示されるように、フレームガード３は、ガード部３１と、第１コネクタ３２と、第２コネクタ３３とを有する。ガード部３１は、アルミ製の中空棒状の３本のガードから構成されており、ラジオ本体２の上方には第１ガード３１Ａが配置され、ラジオ本体２の下方前方には第２ガード３１Ｂが配置され、ラジオ本体２の下方後方には第３ガード３１Ｃが配置されている。第１コネクタ３２は、それぞれのガードの左右方向一端部（右端部）を互いに接続しており、第２コネクタ３３はそれぞれのガードの左右方向他端部（左端部）を接続している。図２（ｂ）に示されるように第１コネクタ３２は、左右方向から見て第１ガード３１Ａを頂点とし、第２ガード３１Ｂと第３ガード３１Ｃとを結ぶ線分を底辺とする略二等辺三角形状をなしている。
【００４７】
上記のように左右方向から見て略二等辺三角形状をなしているため、左右方向軸延長線上から見て四角形状を成す従来型のフレームガードに比べてガードの数を少なくすることができ、フレームガード３の製造のためのガード部３１、第１コネクタ３２及び第２コネクタ３３の数を少なくすることができ、フレームガード３の製造コストを削減することができる。
【００４８】
図１及び図２（ｂ）に示すように、第１コネクタ３２は、３個の連結材３２Ａと、３本の連結棒３２Ｂとから略二等辺三角形状に形成されている。連結材３２Ａはポリプロピレン（ＰＰ）製であって、連結材３２Ａには連結棒３２Ｂと嵌合するための嵌合孔と、第１ガード３１Ａ、第２ガード３１Ｂ及び第３ガード３１Ｃのいずれかの左右方向端部と嵌合するための嵌合孔とが形成されている。連結棒３２Ｂはアルミ製であって、中空の棒形状をなしている。
【００４９】
一の連結材３２Ａに形成された嵌め込み孔に一の連結棒３２Ｂの一端部を嵌め込んで固定し、他の連結材３２Ａに形成された嵌め込み孔に当該連結棒３２Ｂの他端部を嵌め込んで固定することで、一の連結材３２Ａと他の連結材３２Ａとを連結している。
【００５０】
ガード部３１の３本のガードの左右方向右端部をそれぞれ連結材３２Ａに嵌め込んで固定することで、ガード部３１と第１コネクタ３２とを連結している。第２コネクタ３３も同様の構成となっており、ガード部３１の３本のガードの左端部をそれぞれ連結材３３Ａに嵌め込むことでガード部３１と第２コネクタ３３とを連結している。
【００５１】
上記の構成によれば第１コネクタ３２は、３個の連結材３２Ａと、３本の連結棒３２Ｂとにより略二等辺三角形状に形成されているが、特に筐体１０の左右方向に直交する平面に沿った断面が正三角形状のラジオ本体の場合には、３個の連結材を正三角形にしてもよい。その場合には、第１コネクタ３２の製造に使用される３個の連結材３２Ａを全て同一形状にすることができ、フレームガード３の製造に必要な部材の種類を少なくすることができ、製造工程を減らすことでコストを削減することができる。
【００５２】
また、筐体１０の左右方向に直交する平面に沿った断面が正三角形状又は二等辺三角形状のラジオ本体の場合には、第１ガード３１Ａはラジオ本体２の重心位置の略直上に位置するため、持ち運び時の持ち手として最適である。さらに、第１ガード３１Ａの左右方向略中央に持ち手の負担を軽減するソフト材等を設けるか、又は、左右方向略中央の形状を持ち手にフィットする形状としたハンドル部を備えることで持ち運びがより容易となる。
【００５３】
図１乃至３に示されるように、連結材３２Ａ、３３Ａは、第１ガード３１Ａと第２ガード３１Ｂとを含む面と直交する方向、第１ガード３１Ａと第３ガード３１Ｃとを含む面と直交する方向、及び第２ガード３１Ｂと第３ガード３１Ｃとを含む面と直交する方向のいずれの視認方向から見た場合であっても、左右方向端部に向かうに従って、視認方向と左右方向とのいずれにも直交する方向の寸法が徐々に小さくなるような円弧部３２ａ、３３ａを含んでいる。このような円弧部３２ａ、３３ａを有することで、当該円弧部が機械的な衝撃を受けた場合に、衝撃が分散され、効率よく電気機器本体に作用する衝撃を緩和することができる。また、ラジオ１全体が転がりやすくなり、転がることで衝撃を緩和することができる。
【００５４】
図１に示されるように、連結材３２Ａ、３３Ａは固定手段である複数のネジ５０によってラジオ本体２に直接ネジ留めされており、フレームガード３はラジオ本体２に固定されている。音響学的には、音を再生するためにスピーカに内蔵されている振動源（コーン）のみが振動し、当該振動源を支持している支持物は振動しないことが音を再現するうえで最良とされている。当該支持物の振動を抑えるために、支持物の質量を大きくする方法がある。上記の構成によれば、ラジオ本体２はフレームガード３に対して固定されているため移動不能であり、振動源を支持している支持物の質量は、フレームガード３とラジオ本体２との合計の質量である。このため、ラジオ本体２のみの場合と比較して当該支持物の質量が大きくなり、音の再現性が高くなる。また、ネジを固定手段としているので、ラジオ本体２に対するフレームガード３の固定及び接続を簡単に実現することができる。
【００５５】
図４（ｃ）に示されるように、ラジオ本体２は、左右方向に直交する平面に沿ったいずれの断面においても、フレームガード３によって囲まれた略三角形状の領域内（第１ガード３１Ａを頂点とし、第２ガード３１Ｂと第３ガード３１Ｃとを結ぶ線分を底辺とした三角形の内側）に配置されている。また、図１乃至３に示されるようにラジオ本体２のいかなる面もフレームガード３の内側に位置している。このため、長い木材等が倒れ掛かってきた場合であっても、当該木材等がフレームガード３に先に衝突し、ラジオ本体２の保護をより万全とすることができる。
【００５６】
それぞれの連結材３２Ａ及び連結材３３Ａのラジオ本体２の反対側の表面（図１においてハッチングが施されている部分）には、外部からの衝撃を吸収するためのエラストマ製の衝撃緩衝材３００が射出成形により設けられており、いわゆる２層成形となっている。そのため、ラジオ１が地面等に落下した場合や建設材料が倒れかかってきた場合において、衝撃緩衝材３００が衝撃を吸収緩和することでラジオ本体２及びフレームガード３自体を保護することができる。さらに連結材３２Ａ及び３３Ａ自体の傷付きや破損を抑制することができ、ラジオ１の美感を保つことができる。また、ラジオ１を床等に載置した場合には、床等と対向する連結材３２Ａ及び連結材３３Ａの表面に設けられた衝撃緩衝材３００が床に当接するため、床等を傷つけることを防止することができる。
【００５７】
衝撃緩衝材３００は、左右方向から見て第１ガード、第２ガード及び第３ガードよりもラジオ本体２の反対側に突出するようにそれぞれの連結材３２Ａ及び３３Ａに設けられている。このため、持ち運び時等に電気機器が壁や床に衝突した場合、衝撃緩衝材３００が第１ガード、第２ガード及び第３ガードよりも先に壁や床に衝突し、ラジオ本体２に作用する衝撃を吸収緩和してラジオ本体２を保護する、また、それぞれのガード自体の破損傷つきをも防止することができる。
【００５８】
上述した実施の形態において電気機器本体はラジオであったが、ＣＤ再生装置、携帯型テレビ等、種々の機器本体が適用可能である。また筐体１０の背面に、上述した複数のコネクタユニット４、４Ａ、４Ｂを収容する収容部を設けるようにしてもよい。
【００５９】
また、上述した実施の形態では、筐体１０の断面は三角形であるが、図４（ｄ）に示されるように、断面形状が四角形の筐体１０Ａであってもよい。その場合には、ガードの本数を４本とし、それぞれのガードを筐体１０Ａの角部の外側に位置させて、それぞれのガードに囲まれる領域内に筐体１０Ａを配置させればよい。
【符号の説明】
【００６０】
１・・ラジオ、  ２・・ラジオ本体、  ３・・フレームガード、  ４、４Ａ、４Ｂ・・コネクタユニット、  １０・・筐体、  １１・・操作部、  １２・・表示部、  １３・・保護蓋、  １３Ａ・・透明部、  １３ａ・・格納部、  １３ｂ・・接続孔、  １４・・スピーカ部、  １５・・開閉スイッチ、  １６・・ウーハー部、  １７・・保持部、  １８・・格納緩衝材、  ３１・・ガード部、  ３１Ａ・・第１ガード、  ３１Ｂ・・第２ガード、  ３１Ｃ・・第３ガード、  ３２・・第１コネクタ、  ３２Ａ・・連結材、  ３２Ｂ・・連結棒、  ３３・・第２コネクタ、  ３３Ａ・・連結材、  ４１・・ケース、  ４２、４２Ａ、４２Ｂ・・端子接続部、  ４３・・ＵＳＢコネクタ、  ４４・・ケーブル、  ５０・・ネジ、  １０１・・筐体、  ２００・・携帯用音響再生機器、  ３００・・衝撃緩衝材
【図１】
2015001992.tif 000003
【図２】
2015001992.tif 000004
【図３】
2015001992.tif 000005
【図４】
2015001992.tif 000006
【図５】
2015001992.tif 000007
【図６】
2015001992.tif 000008
【図７】
2015001992.tif 000009
【図８】
2015001992.tif 000010
【図９】
2015001992.tif 000011